(57)【特許請求の範囲】
【請求項１】
携帯用可燃物タンクに設けられた給油口を開閉する給油口キャップと、携帯用可燃物タンクに設けられた圧力解放口を開閉する圧力解放栓とを備えた携帯用可燃物タンクであって、前記圧力解放栓は前記給油口キャップを外すのを阻止する阻止手段となっており、前記圧力解放栓を操作して携帯用可燃物タンク内の内圧を低下させた後でなければ、前記給油口キャップを外すことができないようにした携帯用可燃物タンクであって、前記圧力解放栓は、外周胴に雄ねじが形成されたねじ部と、前記ねじ部に軸支されて給油口キャップから離れる方向に倒すことが可能な摘み部とを備えていることを特徴とする携帯用可燃物タンク。
【発明の詳細な説明】
【技術分野】
【０００１】
本発明は、携帯用可燃物タンクに関するものである。
【背景技術】
【０００２】
従来、この種の携帯用可燃物タンクは、例えば特開２００２−３７３０７号公報に開示されていますように、給油口キャップと異なった位置に前記給油口キャップとは別体の圧力解放栓が設けられており、給油する場合、前記圧力解放栓を緩めて圧力解放栓から高圧の揮発した可燃物を放出して携帯用可燃物タンク内の内圧を低下させた後に、前記給油口キャップを外して携帯用可燃物タンク内の可燃物を他の器具に給油するようになっている。
【０００３】
しかしながら、特許文献１に示すものは、誤って、圧力解放栓を緩めて携帯用可燃物タンク内の内圧を低下させるという操作をしないでいきなり前記給油口キャップを外すと、前記給油口キャップから高圧の揮発した可燃物が大量に放出してしまい、該可燃物が何らかの火に到達すると携帯用可燃物タンク内の可燃物に引火し、爆発を起こす可能性があるという問題点があった。
【先行技術文献】
【特許文献】
【０００４】
【特許文献１】特開２００２−３７３０７号公報
【発明の概要】
【発明が解決しようとする課題】
【０００５】
本発明は、上記問題点に鑑みてなされたものであり、安全な携帯用可燃物タンクを提供することを目的とするものである。
【課題を解決するための手段】
【０００６】
本発明の安全な携帯用可燃物タンクは、携帯用可燃物タンクに設けられた給油口を開閉する給油口キャップと、携帯用可燃物タンクに設けられた圧力解放口を開閉する圧力解放栓とを備えた携帯用可燃物タンクであって、前記圧力解放栓は前記給油口キャップを外すのを阻止する阻止手段となっており、前記圧力解放栓を操作して携帯用可燃物タンク内の内圧を低下させた後でなければ、前記給油口キャップを外すことができないようにした携帯用可燃物タンクであって、前記圧力解放栓は、外周胴に雄ねじが形成されたねじ部と、前記ねじ部に軸支されて給油口キャップから離れる方向に倒すことが可能な摘み部とを備えていることを特徴とする。
【発明の効果】
【０００７】
本発明の安全な携帯用可燃物タンクは、携帯用可燃物タンクに設けられた給油口を開閉する給油口キャップと、携帯用可燃物タンクに設けられた圧力解放口を開閉する圧力解放栓とを備えた携帯用可燃物タンクであって、前記圧力解放栓は前記給油口キャップを外すのを阻止する阻止手段となっており、前記圧力解放栓を操作して携帯用可燃物タンク内の内圧を低下させた後でなければ、前記給油口キャップを外すことができないようにした携帯用可燃物タンクであって、前記圧力解放栓は、外周胴に雄ねじが形成されたねじ部と、前記ねじ部に軸支されて給油口キャップから離れる方向に倒すことが可能な摘み部とを備えていることを特徴とするものであるから、給油する場合、圧力解放栓を解放して圧力解放栓から高圧の揮発した可燃物を放出して携帯用可燃物タンク内の内圧を低下させた後でなければ、給油口キャップを外すことができず、携帯用可燃物タンク内の内圧を低下させさせないでいきなり前記給油口キャップを外すことが無く、給油口キャップから高圧の揮発した可燃物が大量に放出してしまい、該可燃物が何らかの火に到達して携帯用可燃物タンク内の可燃物に引火して、爆発を起こすことが無いという効果がある。
【図面の簡単な説明】
【０００８】
【図１】図１は、本発明の実施例における要部を断面した携帯用可燃物タンクの正面図。
【図２】図２は、同上の携帯用可燃物タンクの平面図。
【図３】図３は、同上の携帯用可燃物タンクの動作状態を説明する図１と対応した正面図。
【発明を実施するための形態】
【０００９】
以下、携帯用可燃物タンクの実施例について、図１乃至図３を参照して説明する。は、携帯用可燃物タンク１は、携帯用可燃物タンク１に設けられた給油口２を開閉する給油口キャップ３と、携帯用可燃物タンク１に設けられた圧力解放口４を開閉する圧力解放栓５とを備えた携帯用可燃物タンクであって、圧力解放栓５は給油口キャップ３を外すのを阻止する阻止手段６となっており、圧力解放栓５を操作して携帯用可燃物タンク１内の内圧を低下させた後でなければ、給油口キャップ３を外すことができないようになっている。
【００１０】
携帯用可燃物タンク１は、金属材でできており、上面に給油口２と圧力解放口４とが併設されている。給油口２内面には雌ねじ部７が形成され、圧力解放口４の内面には雌ねじ部８が形成されている。
【００１１】
給油口キャップ３は、金属材でできており、給油口２の雌ねじ部７に噛合する雄ねじ部９とフランジ部１０と把持部１１とが下端から上端に向かって順次同心円状に形成されており、雄ねじ部９とフランジ部１０とで構成されるコーナー部には環状のシーリング材１２が設けられている。環状のシーリング材１２により、給油口キャップ３を携帯用可燃物タンク１の雌ねじ部７に締め付けることで携帯用可燃物タンク１内の可燃物が流出しないようになっている。
【００１２】
圧力解放栓５は、金属材でできており、圧力解放口４の雌ねじ部８に噛合する雄ねじ部１３と、給油口キャップ３のフランジ部１０に当接して圧力解放栓５を緩めて圧力解放栓を操作して携帯用可燃物タンク内の内圧を低下させた後でなければ、給油口キャップ３を外すことができないようにする阻止手段６と、雄ねじ部１３に軸１４により軸支されて給油口キャップ３から離れる方向に倒すことが可能な摘み部１５とで構成されている。阻止手段６は、摘み部１５の下面で構成されている。雄ねじ部１３には、軸心方向に連通溝１６が形成されており、摘み部１５を指で摘んで圧力解放栓５を緩めることにより、揮発した可燃物が連通溝１６を通って携帯用可燃物タンク１の外部に排出されるようになっている。雄ねじ部１３と摘み部１５とで構成されるコーナー部には環状のシーリング材１７が設けられている。環状のシーリング材１７により、圧力解放栓５を携帯用可燃物タンク１の雌ねじ部８に締め付けることで携帯用可燃物タンク１内の可燃物が流出しないようになっている。摘み部１５の上面には摘み部１５の倒し方向を表示する矢印１８が形成されている。
【００１３】
給油口キャップ３の把持部１１の側壁と圧力解放栓５の摘み部１５の側壁との間には圧力解放栓５を操作できる程度の隙間が設けられており、圧力解放栓５を緩めることができる。給油口キャップ３から離れる方向に摘み部１５を倒すことにより、給油口キャップ３を携帯用可燃物タンク１から外すことができる。
【００１４】
実施例では、給油口キャップ３から離れる方向に摘み部１５を倒すことにより、給油口キャップ３を携帯用可燃物タンク１から外すことができるようにしたが、給油口キャップ３から離れる方向に摘み部１５をスライドするようにしても構わないものである。また、給油口キャップ３と圧力解放栓５との重なる寸法を小さくすれば、摘み部１５を倒したり、摘み部１５をスライドさせることなく、給油口キャップ３と圧力解放栓５との重合状態を解除して給油口キャップ３を携帯用可燃物タンク１から外すことができるようにしても構わないものであり、給油口２の雌ねじ部７と圧力解放口４の雌ねじ部８との軸心を平行にしないで上方に行くに従って離れるように、雌ねじ部７と雌ねじ部８の軸心を交差させるようにしても構わないものである。
【符号の説明】
【００１５】
１    携帯用可燃物タンク
２    給油口  
３    給油口キャップ
４    圧力解放口
５    圧力解放栓
６    阻止手段  
【要約】      （修正有）【課題】いきなり給油口キャップを外すと、高圧の揮発した可燃物が大量に放出してしまい、可燃物が何らかの火に到達すると携帯用可燃物タンク内の可燃物に引火し、爆発を起こす可能性がない安全な携帯用可燃物タンクを提供する。【解決手段】携帯用可燃物タンク１に設けられた給油口２を開閉する給油口キャップ３と、携帯用可燃物タンクに設けられた圧力解放口４を開閉する圧力解放栓５とを備えた携帯用可燃物タンクであって、圧力解放栓は給油口キャップを外すのを阻止する阻止手段６となっており、圧力解放栓を操作して携帯用可燃物タンク内の内圧を低下させた後でなければ、給油口キャップを外すことができないようにする。【選択図】図１【図１】
0005505675.tif 000002
【図２】
0005505675.tif 000003
【図３】
0005505675.tif 000004